(57)【要約】【課題】空気吸込口を開閉する前面パネルを駆動するに際して、その駆動力を低減する空気調和機を提供する。【解決手段】本発明に係る空気調和機は、空気吸込口及びこの空気吸込口よりも下方に位置する空気吹出口を有する筐体と、空気吸込口を開閉する前面パネルと、室内空気を空気吸込口から吸い込み空気吹出口から吹き出す送風ファンと、送風ファンの空気吸込口側に設けられた室内熱交換器と、を備え、前面パネルは高さ方向に分割された複数の分割パネルから構成され、複数の分割パネルのうち高さ方向で一番上部に位置する上部分割パネルは上部駆動用アームを介して前面パネルを開閉するパネル駆動機構に連結される。【選択図】  図１
2011122731.tif 000002
【特許請求の範囲】
【請求項１】
空気吸込口及び前記空気吸込口よりも下方に位置する空気吹出口を有する筐体と、前記空気吸込口を開閉する前面パネルと、室内空気を前記空気吸込口から吸い込み前記空気吹出口から吹き出す送風ファンと、前記送風ファンの前記空気吸込口側に設けられた室内熱交換器と、を備え、
前記前面パネルは、高さ方向に分割された複数の分割パネルから構成され、
前記複数の分割パネルのうち高さ方向で一番上部に位置する上部分割パネルは、上部駆動用アームを介して前記前面パネルを開閉するパネル駆動機構に連結されることを特徴とする空気調和機。
【請求項２】
請求項１において、前記複数の分割パネルのうち高さ方向で上部に位置する前記分割パネルほど最大開口角度が大きいことを特徴とする空気調和機。
【請求項３】
請求項１又は２において、前記上部駆動用アームにより前記上部分割パネルの最大開口角度が制限されることを特徴とする空気調和機。
【請求項４】
請求項３において、前記上部駆動用アームは前記上部駆動用アームの屈曲部が１８０度以上になることを制限するストッパーを備え、前記上部駆動用アームの前記ストッパーにより前記上部分割パネルの最大開口角度が制限されることを特徴とする空気調和機。
【請求項５】
請求項１乃至４の何れかにおいて、前記複数の分割パネルはそれぞれ隣り合う他の前記分割パネルと回動支軸により連結され、さらに、前記複数の分割パネルのうち高さ方向で一番下部に位置する下部分割パネルは前記筐体と回動支軸により連結されることを特徴とする空気調和機。
【請求項６】
請求項１乃至５の何れかにおいて、前記筐体と連結された下部位置決めアームにより前記下部分割パネルの最大開口角度が制限されることを特徴とする空気調和機。
【請求項７】
請求項６において、前記下部位置決めアームは前記下部位置決めアームの屈曲部が１８０度以上になることを制限するストッパーを備え、前記下部位置決めアームの前記ストッパーにより前記下部分割パネルの最大開口角度が制限されることを特徴とする空気調和機。
【請求項８】
請求項１乃至７の何れかにおいて、前記上部分割パネル及び前記上部分割パネルと隣接する他の分割パネルのうち少なくとも何れかは、前記上部分割パネルが前記他の分割パネルに対して所定の角度以下となることを制限するストッパーを備えることを特徴とする空気調和機。
【請求項９】
請求項１乃至８の何れかにおいて、前記上部分割パネルが前記上部分割パネルと隣接する他の分割パネルに対して所定の角度より大きい場合に、前記上部分割パネルが前記所定の角度となるように働く機構を備えることを特徴とする空気調和機。
【請求項１０】
請求項９において、前記機構はバネによる弾性力を利用することを特徴とする空気調和機。
【請求項１１】
請求項１乃至１０の何れかにおいて、前記前面パネルが前記空気吸込口を閉じた状態で、前記パネル駆動機構により前記上部駆動用アームが開方向へ動作されると、前記前面パネルが所定の角度まで開口され、
前記上部駆動用アームがさらに開方向へ動作されると、前記前面パネルのうち前記上部分割パネルのみが所定の角度より大きい角度に開口することを特徴とする空気調和機。
【請求項１２】
請求項１１において、前記上部分割パネルが前記所定の角度より大きい角度に開口した状態で、前記パネル駆動機構により前記上部駆動用アームが閉方向へ動作されると、前記前面パネルのうち前記上部分割パネルのみが所定の角度まで閉方向に移動し、
前記上部駆動用アームがさらに閉方向へ動作されると、前記前面パネルが閉方向に移動して前記空気吸込口を閉じることを特徴とする空気調和機。
【発明の詳細な説明】
【技術分野】
【０００１】
本発明は空気吸込口を開閉する前面パネルを備える空気調和機に関する。
【背景技術】
【０００２】
近年、深刻な地球環境問題から、一般家庭において特に消費電力の大きい空気調和機に対する高い省エネ性能が求められている。また、花粉症やハウスダストに代表されるアレルギー対策や、ますます高まる快適性志向により、電気集塵空清ユニットやフィルタ自動掃除ユニット等の高付加価値機構を搭載する空気調和機が増加傾向にある。しかしながら、電気集塵空清ユニットやフィルタ自動掃除ユニット等は、その機能上、空気調和機の空気吸込口に設置する必要があるため、送風面での抵抗となり、少なからず空調性能を低下させる要因となる。そのため、空気調和機の開発に際しては、可能な限り空気吸込み面積を確保することが必要となる。
【０００３】
これに対して、従来の空気調和機として、前面側での広い空気吸込み面積を確保するために、空気吸込口を開閉する前面パネル（可動パネル）を備えるものがある（例えば、特許文献１参照）。特許文献１では、前面パネルの下端部を筐体に固定しつつ、前面パネルの上端部を駆動機構により適宜開閉させる。前面パネル全体をスライドさせて持ち上げる機構に比べて、駆動部に掛かる負荷が少ない。
【０００４】
しかしながら、特許文献１に記載のように、前面パネルの下端部を筐体に固定しつつ前面パネルの上端部を駆動機構により開閉させるようにしても、前面パネルを開口させるにつれて、駆動部に掛かるパネル自重分力が大きくなる。そのため、熱交換性能向上を狙ってより大きな開口面積を求める場合、駆動機構に必要な駆動力が非常に大きくなってしまう。
【先行技術文献】
【特許文献】
【０００５】
【特許文献１】特開２００７−１３２６１０号公報
【発明の概要】
【発明が解決しようとする課題】
【０００６】
本発明は上記課題を解決するものであり、空気吸込口を開閉する前面パネルを駆動するに際して、その駆動力を低減する空気調和機を提供することにある。
【課題を解決するための手段】
【０００７】
上記課題を解決するために本発明に係る空気調和機は、空気吸込口及びこの空気吸込口よりも下方に位置する空気吹出口を有する筐体と、空気吸込口を開閉する前面パネルと、室内空気を空気吸込口から吸い込み空気吹出口から吹き出す送風ファンと、送風ファンの空気吸込口側に設けられた室内熱交換器と、を備え、前面パネルは高さ方向に分割された複数の分割パネルから構成され、複数の分割パネルのうち高さ方向で一番上部に位置する上部分割パネルは上部駆動用アームを介して前面パネルを開閉するパネル駆動機構に連結される。
【発明の効果】
【０００８】
本発明によれば、空気吸込口を開閉する前面パネルを駆動するに際して、その駆動力を低減する空気調和機を提供することができる。
【図面の簡単な説明】
【０００９】
【図１】空気調和機の構造を示す図。
【図２】前面パネル開閉時の空気調和機の構造を示す図。
【図３】本発明及び従来例における前面パネル周辺の力の釣り合いを説明する図。
【図４】駆動用アーム部のストッパーの構造を示す図。
【図５】上部分割パネルのストッパー構造を示す図。
【図６】上部分割パネルのストッパー構造を示す図。
【図７】下部分割パネルに対する上部分割パネルの開閉機構を示す図。
【図８】下部分割パネルに対する上部分割パネルの開閉機構を示す図。
【発明を実施するための形態】
【００１０】
以下、本発明に係る実施例を図１〜図８に基づき説明する。図１は、本実施例の空気調和機の構造を示す図である。まず、本実施例の空気調和機の基本構造を、図１を用いて説明する。本実施例の空気調和機は、上部に空気吸込口を有すると共に下部に空気吹出口を有する筐体１と、空気吸込口の少なくとも一部を開閉するように設けられた前面パネル１５と、空気吹出口に上下に回動可能に設けられた上下風向板４と、室内空気を空気吸込口から吸い込んで空気吹出口から吹き出す送風ファン２と、送風ファン２の空気吸込口側に設けられた室内熱交換器３と、を備える。
【００１１】
ここで、前面パネル１５は高さ方向に分割された複数の分割パネルを連結して構成される。この複数の分割パネルのうち高さ方向で一番上部に位置する上部分割パネル１２は、駆動用アーム６，７を介して、前面パネル１５を開閉するパネル駆動機構に連結される。尚、パネル駆動機構としては、パネル駆動用モータ５を用いることができる。
【００１２】
さらに、本実施例の空気調和機は、下部分割パネル１１及び上部分割パネル１２は少なくとも１箇所の回動支軸１４により連結される。また、分割パネルのうち高さ方向で一番下部に位置する下部分割パネル１１は、少なくとも１箇所の回動支軸１３により直接的又は間接的に筐体１と連結される。
【００１３】
また、位置決めアーム８により、下部分割パネル１１は筐体１に対する最大開口角度が制限される。具体的には、位置決めアームの屈曲部（位置決めアーム８と位置決めアーム９の接続部）の開き角度を制限する位置決めアーム用ストッパー１０により、下部分割パネル１１が筐体１に対して任意の角度以上に開口しないように制限される（つまり、最大開口角度が制限される）。尚、位置決めアーム８と位置決めアーム９の接続部の最大開き角度は１８０度未満とすることが望ましい。その理由は後述する。
【００１４】
図２は、前面パネル開閉時の空気調和機の構造を示す図である。図２（ａ）は前面パネル全閉時、図２（ｂ）は下部分割パネル１１全開時、図２（ｃ）は上部分割パネル１２全開時を示している。まず、図２（ａ）の前面パネル全閉時では駆動用アーム６，７及び位置決めアーム８，９は、筐体１内で折りたたまれた状態で納められる。ここからパネル駆動用モータ５が回り始め、駆動用アーム６のギア部にトルクを与え、このトルクは駆動用アーム７を介して上部分割パネル１２に伝達される（駆動用アーム６，７が開方向へ動作される）。駆動用アーム６，７が開方向へ動作されることにより、上部分割パネル１２は筐体１に対して前方に押し出されるが、その際、上部分割パネル１２と回動支軸１４で連結される下部分割パネル１１は、筐体１との連結点である回動支軸１３を中心に自重により回転し、上部分割パネル１２と一体となって前方に押し出される。やがて位置決めアーム８に設けられた位置決めアーム用ストッパー１０が位置決めアーム９と突き当たり、下部分割パネル１１はそれ以上開かない状態、すなわち図２（ｂ）に示す下部分割パネル１１全開（最大開口角度）に至る。
【００１５】
ここで位置決めアーム用ストッパー１０は、前述したように、位置決めアーム８と位置決めアーム９の開き角度を規制し、下部分割パネル１１の筐体１に対する最大開口角度を制限するが、位置決めアーム用ストッパー１０は、さらに、位置決めアーム８と位置決めアーム９が一直線上に伸びきることを防ぐ役割も担う。これは、下部分割パネル１１を閉じる際に、位置決めアーム８と位置決めアーム９とが一直線状に伸びきった状態になっていると、位置決めアームを閉じようとする力が両位置決めアーム８，９の軸方向に一直線に掛かるため、両アームを連結する回動支軸を支点とした両アームに対する折り曲げモーメントが発生せず、その結果、下部分割パネル１１がスムーズに閉じなくなるからである。従って、上述したように、位置決めアーム８と位置決めアーム９の接続部の最大開き角度が１８０度未満となるように位置決めアーム用ストッパー１０を設定することが望ましい。
【００１６】
さらにパネル駆動用モータ５を回し続けると（駆動用アーム６，７がさらに開方向へ動作されると）、上部分割パネル１２のみが下部分割パネル１１との連結点である回動支軸１４を中心に回転を始め、図２（ｃ）に示すように、任意の角度まで開口して、上部分割パネル１２全開（最大開口角度）に至る。
【００１７】
前面パネルを閉める際は、パネル駆動用モータ５を開時と逆方向に回転させ（駆動用アーム６，７が閉方向へ動作され）、図２（ｃ）→図２（ｂ）→図２（ａ）の過程を経る。ここで、パネル駆動用モータ５にとって最も負荷の掛かる段階は、図２（ｃ）→図２（ｂ）の閉め始めの段階であり、その際に必要になる力の大きさを従来例と比較して図３に示す。
【００１８】
図３は、本発明及び従来例における前面パネル周辺の力の釣り合いを説明する図である。図３（ａ）は従来の構造例であり、具体的には、前面パネル１５を筐体１との連結点である回動支軸１３を中心に駆動用アーム６，７によって閉め始める際の前面パネル周辺の力の釣り合いを示している。図中の太矢印は各要素に掛かる力の方向と大きさを表している。駆動用アーム７に掛かる張力１８は、前面パネル１５の自重１６のパネル開き方向分力１７に対するものであり、前面パネル１５を閉じるためには、少なくとも張力１８を満足するトルクがパネル駆動用モータ５に必要である。そのため、前面パネル１５の開き角度が大きくなるほど駆動部に必要とされる力は大きくなり、場合によってはトルク増幅のための多段ギアをパネル駆動用モータ５と駆動用アーム６との間に設置する必要がある。
【００１９】
これに対し、図３（ｂ）に示す本発明の空気調和機では、下部分割パネル１１の自重のパネル開き方向分力は位置決めアーム８，９と位置決めアーム用ストッパー１０により支えられるため、駆動部に必要とされる力は上部分割パネル１２の自重１６のパネル開き方向分力１７に対する張力１８のみとなる。そのため、多段ギアを設置するなど、駆動部仕様を複雑にすることなく従来構造以上の前面開口面積を確保することができる。
【００２０】
このように本実施例の空気調和機は、上部に空気吸込口を有すると共に下部に空気吹出口を有する筐体と、空気吸込口を開閉する前面パネルと、室内空気を空気吸込口から吸い込んで吹出口から吹き出す送風ファンと、送風ファンの空気吸込側に設けられた室内熱交換器と、を備え、前面パネルは高さ方向に分割された複数の分割パネルから構成され、複数の分割パネルのうち高さ方向で一番上部に位置する上部分割パネルは上部駆動用アームを介して前面パネルを開閉するパネル駆動機構に連結される。
【００２１】
そして、さらにこのような空気調和機において、前面パネルが空気吸込口を閉じた状態で、パネル駆動機構により上部駆動用アームが開方向へ動作されると、前面パネルが所定の角度まで開口され、上部駆動用アームがさらに開方向へ動作されると前面パネルのうち上部分割パネルのみが所定の角度より大きい角度に開口する。また、上部分割パネルが所定の角度より大きい角度に開口した状態で、パネル駆動機構により上部駆動用アームが閉方向へ動作されると、前面パネルのうち上部分割パネルのみが所定の角度まで閉方向に移動し、上部駆動用アームがさらに閉方向へ動作されると、前面パネルが閉方向に移動して空気吸込口を閉じる。
【００２２】
このような本実施例に係る空気調和機においては、複数の分割パネル（例えば、上部分割パネル１２，下部分割パネル１１）の最大開口角度をそれぞれ別々に設定することができる。従って、例えば、上部分割パネル１２の最大開口角度をその他の分割パネルの最大開口角度よりも大きく設定し、且つ、一番上部に位置する上部分割パネルに接続されたパネル駆動機構により前面パネルを開口することにより、上部分割パネル１２が最大開口角度まで開口した際に駆動用アーム６，７に掛かる負荷は、上部分割パネル１２のパネル開き方向の自重分力のみであり、その他の分割パネルのパネル開き方向の自重分力は、位置決めアーム及び筐体１により支えられるため、上部分割パネルを最大開口角度の状態から閉じる際に必要な負荷が前面パネルが一体の場合に比べて小さくなる。よって、従来の前面パネルが一体の場合に比べ、同じ空気吸込み面積を確保しつつ、駆動部に掛かる負荷を軽減することができる。
【００２３】
また、より好ましくは、複数の分割パネルのうち高さ方向で上部に位置する分割パネルほど最大開口角度を大きくする。本実施例に係る空気調和機においては、複数の分割パネルの筐体に対するそれぞれの最大開口角度を別々に設定することができるが、特に、複数の分割パネルのうち高さ方向で上部に位置する分割パネルほど最大開口角度を大きくすることにより、駆動部に掛かる負荷を低減しつつ、十分な空気吸込み面積を確保することができ、効率よく吸込空気を筐体内に流入させることができる。
【００２４】
図４は駆動用アーム６，７のストッパー構造を示す図である。図４に示すように、本実施例の空気調和機において、さらに、上部分割パネル１２とパネル駆動用モータ５とを連結する駆動用アーム６，７に、上部分割パネル１２が任意の開口角度（最大開口角度）以上に開かないようにする駆動用アーム用ストッパー１９を備えるようにしてもよい。具体的には、この駆動用アーム用ストッパー１９により駆動用アーム部の屈曲部（駆動用アーム６と駆動用アーム７の接続部）の開き角度を制限することにより、上部分割パネル１２の最大開口角度が制限される。これにより、上部分割パネル１２の最大開口位置をパネル駆動用モータ５ではなく駆動用アーム用ストッパー１９によって構造的に決めることができる。そのため、パネル駆動用モータ５を増し締めすることで上部分割パネル１２に適度なテンションが掛かり、空調運転中にパネル駆動用モータ５の軸やその他駆動ギアの遊びにより上部分割パネル１２がビビリ振動を起こすといった製品トラブルを防ぐことができる。
【００２５】
ここで駆動用アーム用ストッパー１９は、前述したように、駆動用アーム６と駆動用アーム７の開き角度を規制し、下部分割パネル１１に対する上部分割パネル１２の最大開口角度を制限するが、駆動用アーム用ストッパー１９は、さらに、駆動用アーム６と駆動用アーム７が一直線上に伸びきることを防ぐ役割も担う。これは、上部分割パネル１２を閉じる際に、駆動用アーム６と駆動用アーム７とが一直線状に伸びきった状態になっていると、閉じようとする力が両アームの軸方向に一直線に掛かるため、両アームを連結する回動支軸を支点とした両アームに対する折り曲げモーメントが発生せず、その結果、上部分割パネル１２がスムーズに閉じなくなるからである。従って、駆動用アーム６と駆動用アーム７との接続部（屈曲部）の最大開き角度が１８０度未満となるように駆動用アーム用ストッパー１９を設定することが望ましい。
【００２６】
図５及び図６は、下部分割パネル１１に対する上部分割パネル１２のストッパー構造を示す図である。図５及び図６に示すように、本実施例の空気調和機において、さらに、隣り合う複数の分割パネル（例えば、下部分割パネル１１，上部分割パネル１２）のそれぞれを連結する回動支軸１４部に、上部分割パネル１２が下部分割パネル１１に対して任意の開口角度以下に閉じないようにするストッパー２０を備えるようにしてもよい。
【００２７】
本実施例では、ストッパー２０は上部分割パネル１２の下端部に設けられ、図５及び図６に示す上部分割パネル１２全開状態から、上部分割パネル１２と下部分割パネル１１が一直線状、すなわち従来の一体前面パネル状になるまで上部分割パネルが閉じた際に、ストッパー２０が下部分割パネル１１に突き当たる。従って、これ以降は上部分割パネル１２が下部分割パネル１１に先行して閉じることなく、上部分割パネル１２及び下部分割パネル１１が前面パネルとして一体となって空気吸込口を閉じる。従って、前面パネルを閉じる際の意匠性を損なうことなく、下部分割パネル１１及び上部分割パネル１２の双方を同時にかつ確実に閉じることができる。
【００２８】
尚、図５及び図６においては、ストッパー２０は上部分割パネル１２の下端部に設けたが、ストッパー２０を下部分割パネル１１の上端部に設けるようにして、上部分割パネル１２が下部分割パネル１１に対して任意の開口角度以下に閉じないように制限してもよい。
【００２９】
図７及び図８は、下部分割パネル１１に対する上部分割パネル１２の開閉機構を示す図である。図７及び図８に示すように、本実施例の空気調和機において、さらに、複数の分割パネル（例えば、下部分割パネル１１，上部分割パネル１２）のそれぞれを連結する回動支軸１４部に、上部分割パネル１２が、隣接する下部分割パネル１１に対して、一定以上の駆動力を掛けない限り独立して自由に回動することを抑制する機構を備えるようにしてもよい。このような機構は、後述するように、例えば、バネ２１による弾性力等を用いることができる。
【００３０】
本実施例では、上述したストッパー２０は、下部分割パネル１１上端部に突き当たり上部分割パネル１２が下部分割パネル１１に対して任意の開口角度以下に閉じないようするためのストッパー部２０ａと、さらに、下部分割パネルに対して筐体１側に任意の間隔分逃したバネ設置部２０ｂとを有するとともに、バネ設置部２０ｂと下部分割パネル１１との間にバネ２１を備える。このストッパー２０（ストッパー部２０ａ，バネ設置部２０ｂ，バネ２１）により、上述した一定以上の駆動力を掛けない限り上部分割パネル１２が独立して自由に回動することを抑制する機構が構成される。尚、下部分割パネル上端部とバネ設置部２０ｂの間隔はバネ２１の自然長より大きく設定する。
【００３１】
まず、このような空気調和機では、ストッパー２０（ストッパー部２０ａ，バネ設置部２０ｂ，バネ２１）により、一定以上の駆動力を掛けない限り上部分割パネル１２が独立して自由に回動することが抑制される。従って、前面パネルが空気吸込口を閉じた状態でパネル駆動機構により駆動用アーム６，７が開方向へ動作されると、前面パネルが所定の角度まで開口され、その後、上部駆動用アームがさらに開方向へ動作されると（上部分割パネル１２に一定以上の駆動力が掛かると）、前面パネルのうち上部分割パネル１２のみが所定の角度より大きい角度に開口する。つまり、上部駆動用アームの開方向への動作のみで、前面パネルを所定の角度まで開口するとともに、前面パネルのうち上部分割パネルのみを所定の角度より大きい角度に開口することができる。
【００３２】
また、ストッパー２０（ストッパー部２０ａ，バネ設置部２０ｂ，バネ２１）は、上部分割パネル１２が上部分割パネル１２と隣接する下部分割パネル１１に対して所定の角度より大きい場合に上部分割パネル１２が所定の角度となるような力（バネの弾性力）を生じさせる。これにより、図８に示すように、全開状態の上部分割パネル１２を閉じる際に、バネ２１により上部分割パネル１２が閉じる方向に力が掛かるため、パネル駆動用モータ５に掛かる負荷を更に軽減できる。そして、上部分割パネル１２が所定の角度より大きい角度に開口した状態でパネル駆動機構により駆動用アーム６，７が閉方向へ動作されると、前面パネルのうち上部分割パネル１２のみが所定の角度まで閉方向に移動し、駆動用アーム６，７がさらに閉方向へ動作されると、ストッパー部２０ａにより、前面パネル（上部分割パネル１２及び下部分割パネル１１）が一体となって閉方向に移動して空気吸込口を閉じる。つまり、上部駆動用アームの閉方向への動作のみで、所定の角度より大きい角度に開口した前面パネルを所定の角度まで閉方向に移動させるとともに、その後、さらに、上部分割パネル１２及び下部分割パネル１１が前面パネルとして一体で閉方向に移動して空気吸込口を閉じることができる。
【００３３】
さらに、下部分割パネル上端部とバネ設置部２０ｂの間隔をバネ２１の自然長より大きく設定することで、パネル開閉時に下部分割パネル１１及び上部分割パネル１２が互いに適度なテンションを保って回動するため、パネル開閉時のグラつきや、予測せぬパネル動作を未然に防ぐことができ、パネル開閉時の信頼性を確保することができる。
【００３４】
また、本実施例においては、複数の分割パネル（例えば、下部分割パネル１１，上部分割パネル１２）のそれぞれを連結する回動支軸１４部に、上部分割パネル１２が、隣接する下部分割パネル１１に対して、一定以上の駆動力を掛けない限り独立して自由に回動することを抑制する機構を備えるようにしたが、さらに、下部分割パネル１１と筐体１とを連結する回動支軸部１３に、下部分割パネル１１が、筐体１に対して、一定以上の駆動力を掛けない限り独立して自由に回動することを抑制する機構（例えば、バネ機構）を有するようにしてもよい。これにより、パネル開閉時に、複数の分割パネルや筐体が互いに適度なテンションを保って回動するため、パネル開閉時のグラつきや、予測せぬパネル動作を未然に防ぐことができ、パネル開閉時の信頼性を確保することができる。
【００３５】
尚、本実施例では、初めに前面パネル全体を開き、その後、上部分割パネル１２のみをさらに開放するようにしたが、回動支軸１３に一定以上の力が掛からない限り回動しない抵抗（引っ掛かりなど）を設け、初めに上部分割パネル１２のみを開き、その後、前面パネル全体を開くようにしてもよい。
【符号の説明】
【００３６】
１  筐体
２  送風ファン
３  室内熱交換器
４  上下風向板
５  パネル駆動用モータ
６  駆動用アーム（筐体側）
７  駆動用アーム（前面パネル側）
８  位置決めアーム（筐体側）
９  位置決めアーム（前面パネル側）
１０  位置決めアーム用ストッパー
１１  下部分割パネル
１２  上部分割パネル
１３  回動支軸（筐体−下部分割パネル）
１４  回動支軸（上部分割パネル−下部分割パネル）
１５  前面パネル
１６  パネル自重の重力方向の力の大きさを表すベクトル
１７  パネル自重のパネル開き方向分力の力の大きさを表すベクトル
１８  駆動用アーム（パネル側）に必要な張力の大きさを表すベクトル
１９  駆動用アーム用ストッパー
２０  上部−下部分割パネル用ストッパー
２０ａ  上部−下部分割パネル用ストッパーのストッパー部
２０ｂ  上部−下部分割パネル用ストッパーのバネ設置部
２１  バネ
【図１】
2011122731.tif 000003
【図２】
2011122731.tif 000004
【図３】
2011122731.tif 000005
【図４】
2011122731.tif 000006
【図５】
2011122731.tif 000007
【図６】
2011122731.tif 000008
【図７】
2011122731.tif 000009
【図８】
2011122731.tif 000010